【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
アリーナライトシステム光源のネットワークを含むアリーナライトシステムを制御するためのライトシステムインタフェースであって、前記ライトシステムインタフェースは、
エミュレート光源に実行されるとエミュレート視覚効果を生じさせる当該エミュレート光源に関連する少なくとも１つの制御パラメータを定義する第１のプロトコルメッセージを受信する入力装置と、
前記ネットワーク内の個々の光源の場所及び方向に関する前記アリーナライトシステム光源についての知識を有するプロトコルメッセージ生成器であって、前記第１のプロトコルメッセージに基づく少なくとも１つの第２のプロトコルメッセージを生成し、前記知識を含む前記アリーナライトシステム光源の前記ネットワークと前記エミュレート光源との間のマッピングを用い、前記少なくとも１つの第２のプロトコルメッセージは、前記アリーナライトシステム内の複数のアリーナライトシステム光源に関連する制御パラメータを定義する、プロトコルメッセージ生成器と、
前記アリーナライトシステム光源に関連する前記制御パラメータは、前記複数のアリーナライトシステム光源が前記エミュレート視覚効果に基づく視覚効果を生じさせることを可能にするように、前記アリーナライトシステム光源の前記ネットワークに前記第２のプロトコルメッセージを出力する出力装置と
を含み、
前記プロトコルメッセージ生成器は更に、エミュレート光源ＤＭＸパーソナリティファイルに関する情報、及び前記アリーナライトシステム光源の前記ネットワーク内の光源に関する少なくとも１つのＤＭＸパーソナリティファイルに関する情報に基づいて、前記マッピングを生成する、ライトシステムインタフェース。
【請求項２】
前記第１のプロトコルメッセージは、幾つかの連続配置されるメッセージスロットを含む少なくとも１つの第１のプロトコルメッセージフレームを含み、前記エミュレート光源に関連する前記少なくとも１つの制御パラメータの各々は、前記少なくとも１つの第１のプロトコルメッセージ内の少なくとも１つのメッセージスロットによって示され、前記第２のプロトコルメッセージは、少なくとも１つの第２のプロトコルメッセージフレームを含み、前記少なくとも１つの第２のプロトコルメッセージフレームの各々は、更なる幾つかの連続配置されるメッセージスロットを含み、前記複数のアリーナライトシステム光源に関連する前記制御パラメータの各々は、前記少なくとも１つの第２のプロトコルメッセージ内の少なくとも１つのメッセージスロットによって示される、請求項１に記載のライトシステムインタフェース。
【請求項３】
前記ライトシステムインタフェースはＤＭＸブリッジであって、前記第１のプロトコルメッセージがＤＭＸメッセージであり、前記第２のプロトコルメッセージがＤＭＸメッセージである、請求項１又は２に記載のライトシステムインタフェース。
【請求項４】
前記ライトシステムインタフェースはArt-Netブリッジであって、前記第１のプロトコルメッセージが、第１のユニバース値に関連するArt-Netメッセージであり、前記第２のプロトコルメッセージが、
前記第１のユニバース値に関連するArt-Netメッセージ、
第２のユニバース値に関連するArt-Netメッセージ、及び
第２のユニバース値に関連するＤＭＸメッセージ
のうち少なくとも１つである、
請求項１乃至３の何れか一項に記載のライトシステムインタフェース。
【請求項５】
前記エミュレート光源は、前記アリーナに対する単一の調光可能灯具であり、前記アリーナライトシステム内の複数の光源は、所定のエリアにおいて光を生成し、前記プロトコルメッセージ生成器は、前記アリーナに対する前記単一の調光可能灯具に関連する第１の調光レベル値を、前記アリーナライトシステム内の前記複数の光源に関連する少なくとも１つの第２の調光レベル値にマッピングする、請求項１乃至４の何れか一項に記載のライトシステムインタフェース。
【請求項６】
前記エミュレート光源は、前記アリーナ内の所定のエリアに向けた多数の調光可能灯具であり、前記アリーナライトシステム光源の前記ネットワークは、前記所定のエリアにおいて光を生成する前記アリーナライトシステム内の光源のグループを含み、前記プロトコルメッセージ生成器は、前記所定のエリアの１つに向けられた前記多数の調光可能灯具の１つに関連する第１の調光レベル値を、前記所定のエリアの１つにおいて光を生成する前記光源の前記グループ内の光源に関連する少なくとも１つの第２の調光レベル値にマッピングする、請求項１乃至４の何れか一項に記載のライトシステムインタフェース。
【請求項７】
前記エミュレート光源は、前記アリーナ内の少なくとも１つの可動ヘッド灯具であり、前記アリーナライトシステム光源の前記ネットワークは、所定のエリアにおいて光を生成する前記アリーナライトシステム内の光源のグループを含み、前記プロトコルメッセージ生成器は、前記少なくとも１つの可動ヘッド灯具に関連する第１の光ビームの場所値又は配向値を、前記第１の光ビームの場所値又は配向値に関連する場所に向けられた前記アリーナライトシステム内の前記光源の前記グループに関連する少なくとも１つの第２の調光レベル値にマッピングする、請求項１乃至４の何れか一項に記載のライトシステムインタフェース。
【請求項８】
前記第１のプロトコルメッセージを生成するコンソール／コントローラと、
請求項１乃至７の何れか一項に記載されるライトシステムインタフェースと、
各々が前記第２のプロトコルメッセージの関連した１つを受信する複数の光源と
を含む、ライトシステム。
【請求項９】
前記コンソール／コントローラは、
前記第１のプロトコルメッセージが場所識別子に基づく第１の制御パラメータを含む当該場所識別子と、
ライトパターンの中心の光レベルに基づく第２の制御パラメータと、
ライトパターンの周辺の光レベルに基づく第３の制御パラメータと、
ライトパターンの幅に基づく第４の制御パラメータと
を受信し、
ライトシステムインタフェースプロトコルメッセージ生成器は、前記光源が、前記場所識別子及び前記ライトパターンの幅によって識別される焦点エリアを前記ライトパターンの中心の光レベルで照明し、並びに前記焦点エリア外の前記エリアを前記ライトパターンの周辺の光レベルで照明するように、前記アリーナライトシステム内の前記複数の光源に関連する調光レベルを含む前記第２のプロトコルメッセージを生成する、
請求項８に記載のライトシステム。
【請求項１０】
前記第１のプロトコルメッセージは、ライトパターン形状に基づく第５の制御パラメータを更に含み、前記ライトシステムインタフェースプロトコルメッセージ生成器は、前記ライトパターン形状に更に基づいて、前記アリーナライトシステム内の前記複数の光源に関連する調光レベルを含む前記第２のプロトコルメッセージを生成する、請求項９に記載のライトシステム。
【請求項１１】
ユーザ入力を受信し、前記コンソール／コントローラに送られる場所識別子を生成する位置決定器と、
少なくとも１つのカメラ画像を受信し、前記少なくとも１つのカメラ画像中の特徴の場所に基づき場所識別子を決定する位置決定器と
のうち少なくとも１つを更に含む、請求項９又は１０に記載のライトシステム。
【請求項１２】
ライトシステムがアリーナライトシステム光源のネットワークを含むアリーナライトシステムとインタフェースをとる方法であって、前記方法は、
エミュレート光源に実行されるとエミュレート視覚効果を生じさせる、前記エミュレート光源に関連する少なくとも１つの制御パラメータを含む第１のプロトコルメッセージを受信するステップと、
前記第１のプロトコルメッセージに基づく少なくとも１つの第２のプロトコルメッセージを生成する、及び前記ネットワーク内の個々の光源の場所及び方向に関する前記アリーナライトシステム光源についての知識を含む前記アリーナライトシステム光源の前記ネットワークと前記エミュレート光源との間のマッピングを用いるステップであって、前記少なくとも１つの第２のプロトコルメッセージは、複数の前記アリーナライトシステム光源に関連する制御パラメータを定義する、ステップと、
前記第２のプロトコルメッセージが、前記エミュレート視覚効果に基づく視覚効果を前記複数のアリーナライトシステム光源が生じさせることを可能にするように、前記第２のプロトコルメッセージを前記アリーナライトシステム光源の前記ネットワークに出力する、ステップと、
を含み、
第１のプロトコルメッセージを受信するステップは、ＤＭＸメッセージを受信するステップを含み、前記第１のプロトコルメッセージに基づく第２のプロトコルメッセージを生成するステップは、ＤＭＸメッセージを生成するステップを含み、
前記マッピングは、エミュレート光源ＤＭＸパーソナリティファイルに関する情報、及び前記アリーナライトシステム光源の前記ネットワーク内の光源に関する少なくとも１つのＤＭＸパーソナリティファイルに関する情報に基づく、方法。
【請求項１３】
第１のプロトコルメッセージを受信するステップは、第１のユニバース値に関連するArt-Netメッセージを受信するステップを含み、前記第１のプロトコルメッセージに基づく第２のプロトコルメッセージを生成するステップは、
前記第１のユニバース値に関連するArt-Netメッセージと、
第２のユニバース値に関連するArt-Netメッセージと、
第２のユニバース値に関連するＤＭＸメッセージと
のうち少なくとも１つを生成するステップを含む、請求項１２に記載の方法。